(57)【要約】【課題】容器から物品を振り出して取り出す際の開閉操作や取り出し操作における操作性を向上させるとともに、容易な操作によって確実に一定量の物品を取り出すことができる計量容器を提供することにある。【解決手段】矩形状部と小矩形状部からなる底板１上にその周端に四方の側壁板を立設し、一方の側壁板の内面に所定幅の物品採入口１２を有する三角形状隔壁板１１を立設して形成した物品収納室６と、突出計量室１０とからなる容器部Ａと、前記底板１の矩形状部と同一形状の矩形状部を備えた天板２１面下に、該矩形状部の周端に沿って四方の側壁板２２、２３、２４及び前記小矩形状部の突設相当部分に切欠部２６を有して側壁板２５と、前記切欠部２６の近傍に前記容器部Ａの側壁板９の内面と平行に摺接可能であって且つ物品採入口１２を閉鎖可能な閉鎖板２７とを立設して形成した容器部Ａを施蓋する蓋部Ｂとからなる。【選択図】図１
2005008195.tif 000002
【特許請求の範囲】
【請求項１】
矩形状部とその一角隅部の一辺に突設した小矩形状部とを備えた底板１面上に、該矩形状部の周端に沿って四方の側壁板２、３、４及び前記小矩形状部を突設した部分を除く側壁板５と、前記矩形状部の小矩形状部を突設した一辺と直交する方向の前記側壁板２の内面から側壁板５の方向に向かう辺を備え側壁板５との間に所定幅の物品採入口１２を有する三角形状隔壁板１１とを立設して形成した物品収納室６と、前記底板１面上の小矩形状部の外側周端に沿って側壁板２、５に連続して三方の側壁部７、８、９を立設して形成した突出計量室１０とからなる容器部Ａと、前記底板１の矩形状部と同一形状の矩形状部を備えた天板２１面下に、該矩形状部の周端に沿って四方の側壁板２２、２３、２４及び前記小矩形状部の突設相当部分に切欠部２６を有して側壁板２５と、前記切欠部２６の近傍に前記容器部Ａの側壁板９の内面と平行に摺接可能であって且つ物品採入口１２を閉鎖可能な閉鎖板２７とを立設して形成した容器部Ａを施蓋する蓋部Ｂとからなり、前記容器部Ａの物品収納室６内に内容物を収納して、前記矩形状部の小矩形状部を突設した一辺と直交する方向の容器部Ａの側壁板２、４の外面と前記蓋部Ｂの側壁板２２、２４の内面とに沿って設けた直線状ガイド１３、２８を互いに嵌合して、容器部Ａに蓋部Ｂを施蓋して組み立てられていることを特徴とする計量容器。
【請求項２】
前記閉鎖板２７が、物品採入口１２の幅と略同一幅の板状体であることを特徴とする請求項１記載の計量容器。
【請求項３】
前記閉鎖板２７が、物品採入口１２の幅と略同一幅に幅方向に配列した複数本の格子状体であることを特徴とする請求項１記載の計量容器。
【請求項４】
矩形状部とその一辺の中間部に突設した小矩形状部とを備えた底板１面上に、該矩形状部の周端に沿う四方の側壁板２、３、４及び前記中間部の小矩形状部を突設した部分を除く側壁板５、５と、前記小矩形状部の突設部分の中間に向かって正対する先端Ｖの字状の二等辺を備え前記両側壁板５、５の小矩形状部突設部分側の端部との間に所定幅の物品採入口１２、１２を有する三角形状又は扇形状隔壁板１１とを立設して形成した物品収納室６と、前記底板１面上の小矩形状部の外側周端に沿って前記側壁板５、５に連続して三方の側壁部７、８、９を立設して形成した突出計量室１０とからなる容器部Ａと、前記底板１の矩形状部と同一形状の矩形状部を備えた天板２１面下に、該矩形状部の周端に沿って四方の側壁板２２、２３、２４及び前記小矩形状部の突設相当部分に切欠部２６を有する側壁板２５と、前記切欠部２６の近傍に前記容器部Ａの対向する側壁板７、９の内面と平行に摺接可能であって且つ前記物品採入口１２、１２を閉鎖可能な一対の平行に対向する閉鎖板２７、２７とを立設して形成した容器部Ａを施蓋する蓋部Ｂとからなり、前記容器部Ａの物品収納室６内に内容物を収納し、前記矩形状部の小矩形状部を突設した一辺と直交する方向の容器部Ａの側壁板２、４の外面と前記蓋部Ｂの側壁板２２、２４の内面とに沿って設けた直線状ガイド１３、２８を互いに嵌合して容器部Ａに蓋部Ｂを施蓋して組み立てられていることを特徴とする計量容器。
【請求項５】
前記閉鎖板２７が、物品採入口１２の幅と略同一幅の板状体であることを特徴とする請求項４記載の計量容器。
【請求項６】
前記閉鎖板２７が、物品採入口１２の幅と略同一幅に幅方向に配列した複数本の格子状体であることを特徴とする請求項４記載の計量容器。
【発明の詳細な説明】
【０００１】
【発明の属する技術分野】
本発明は、粒状又は粉状の医薬品や医薬部外品、菓子や調味料等の食料品、その他の粒状又は粉状の内容物を収納包装し、定量の取り出しが可能な計量容器に関する。
【０００２】
【従来の技術】
従来から、容器内の粒状物品を使用時に振り出すことができ、繰り返し同様の動作によって取り出し可能な振り出し容器としては、ヒンジ開閉式やスライド開閉式の取り出し口を片手指でワンタッチにて簡単に開放して、所望量の物品を取り出すことができる容器が多用されている。
【０００３】
しかしながら、従来の振り出し容器は、物品を定量ずつ取り出す機構が付いていないため、使用時に一定量の物品のみを取り出すことができず、物品を取り出し過ぎて物品を無駄に使ってしまったり、物品をまた容器内に戻す操作が必要であったりして、振り出す操作に慎重さを必要としていた。
【０００４】
【発明が解決しようとする課題】
本発明は、容器から物品を振り出して取り出す際の開閉操作や取り出し操作における操作性を向上させるとともに、容易な操作によって、確実に一定量の物品を取り出すことができる計量容器を提供することにある。
【０００５】
【課題を解決するための手段】
本発明の請求項１に係る発明は、矩形状部とその一角隅部の一辺に突設した小矩形状部とを備えた底板１面上に、該矩形状部の周端に沿う四方の側壁板２、３、４及び前記小矩形状部を突設した部分を除く側壁板５と、前記矩形状部の小矩形状部を突設した一辺と直交する方向の前記側壁板２の内面から側壁板５の方向に向かう辺を備え側壁板５との間に所定幅の物品採入口１２を有する三角形状隔壁板１１とを立設して形成した物品収納室６と、前記底板１面上の小矩形状部の外側周端に沿って側壁板２、５に連続して三方の側壁部７、８、９を立設して形成した突出計量室１０とからなる容器部Ａと、前記底板１の矩形状部と同一形状の矩形状部を備えた天板２１面下に、該矩形状部の周端に沿って四方の側壁板２２、２３、２４及び前記小矩形状部の突設相当部分に切欠部２６を有して側壁板２５と、前記切欠部２６の近傍に前記容器部Ａの側壁板９の内面と平行に摺接可能であって且つ物品採入口１２を閉鎖可能な閉鎖板２７とを立設して形成した容器部Ａを施蓋する蓋部Ｂとからなり、前記容器部Ａの物品収納室６内に内容物を収納して、前記矩形状部の小矩形状部を突設した一辺と直交する方向の容器部Ａの側壁板２、４の外面と前記蓋部Ｂの側壁板２２、２４の内面とに沿って設けた直線状ガイド１３、２８を互いに嵌合して容器部Ａに蓋部Ｂを施蓋して組み立てられていることを特徴とする計量容器である。
【０００６】
本発明の請求項２に係る発明は、上記請求項１に係る計量容器において、前記閉鎖板２７が、物品採入口１２の幅と略同一幅の板状体であることを特徴とする計量容器である。
【０００７】
本発明の請求項３に係る発明は、上記請求項１に係る計量容器において、前記閉鎖板２７が、物品採入口１２の幅と略同一幅に幅方向に配列した複数本の格子状体であることを特徴とする計量容器である。
【０００８】
本発明の請求項４に係る発明は、矩形状部とその一辺の中間部に突設した小矩形状部とを備えた底板１面上に、該矩形状部の周端に沿う四方の側壁板２、３、４及び前記中間部の小矩形状部を突設した部分を除く側壁板５、５と、前記小矩形状部の突設部分の中間に向かって正対する先端Ｖの字状の二等辺を備え前記両側壁板５、５の小矩形状部突設部分側の端部との間に所定幅の物品採入口１２、１２を有する三角形状又は扇形状隔壁板１１とを立設して形成した物品収納室６と、前記底板１面上の小矩形状部の外側周端に沿って前記側壁板５、５に連続して三方の側壁部７、８、９を立設して形成した突出計量室１０とからなる容器部Ａと、前記底板１の矩形状部と同一形状の矩形状部を備えた天板２１面下に、該矩形状部の周端に沿って四方の側壁板２２、２３、２４及び前記小矩形状部の突設相当部分に切欠部２６を有する側壁板２５と、前記切欠部２６の近傍に前記容器部Ａの対向する側壁板７、９の内面と平行に摺接可能であって且つ前記物品採入口１２、１２を閉鎖可能な一対の平行に対向する閉鎖板２７、２７とを立設して形成した容器部Ａを施蓋する蓋部Ｂとからなり、前記容器部Ａの物品収納室６内に内容物を収納し、前記矩形状部の小矩形状部を突設した一辺と直交する方向の容器部Ａの側壁板２、４の外面と前記蓋部Ｂの側壁板２２、２４の内面とに沿って設けた直線状ガイド１３、２８を互いに嵌合して容器部Ａに蓋部Ｂを施蓋して組み立てられていることを特徴とする計量容器である。
【０００９】
本発明の請求項５に係る発明は、上記請求項４に係る計量容器において、前記閉鎖板２７が、物品採入口１２の幅と略同一幅の板状体であることを特徴とする計量容器である。
【００１０】
本発明の請求項６に係る発明は、上記請求項４に係る計量容器において、前記閉鎖板２７が、物品採入口１２の幅と略同一幅に幅方向に配列した複数本の格子状体であることを特徴とする計量容器である。
【００１１】
【発明の実施の形態】
本発明の請求項１に係る計量容器の実施の形態を、図１に示す組み立て斜視図に基づいて以下に詳細に説明する。
【００１２】
本発明の請求項１に係る計量容器は、図１に示すように、容器部Ａと、容器部Ａを施蓋する蓋部Ｂとから構成され、容器部Ａは大きい矩形状の物品収納室６と小さい矩形状の突出計量室１０とを備えている。
【００１３】
容器部Ａは、図１に示すように、少なくとも対向する一対の辺又は対向する二対の辺が平行な大きい矩形状部と、その大きい矩形状部の一角隅部の一辺に突設した小さい矩形状部とを備えた底板１と、その底板１面上に、大きい矩形状部の周端に沿って、三方の側壁板２、３、４と、前記小矩形状部を突設した部分を除く側壁板５とによる、四方の側壁板が立設していて、対向する一対の前記側壁板２、４は互いに平行な関係となっている。
【００１４】
前記底板１上における矩形状部の小矩形状部を突設した一辺と直交する方向の前記側壁板２の内面には、その内面から前記側壁板５の方向に斜めに向かう辺１１ａと、その斜めに向かう辺１１ａの先端から所定角度の夾角（例えば夾角６０°〜９０°、乃至９０°〜１２０°）を以て側壁板２に接続する他の一辺１１ｂとを備え、夾角部分と側壁板５との間に所定幅の物品採入口１２を有する三角形状隔壁板１１（又は直角三角形状隔壁板１１）が立設していて、前記三方の側壁板２、３、４及び側壁板５と、前記三角形状隔壁板１１のうちの側壁板５の方向に向かう辺１１ａとによる物品収納室６が形成されている。
【００１５】
また、前記底板１面上の小矩形状部の外側周端に沿って、前記側壁板２、５に連続して、三方の側壁板７、８、９が立設していて、小矩形状部を囲む三方の側壁板７、８、９と、前記三角形状隔壁板１１の他の一辺１１ｂとによる突出計量室１０が形成されていて、前記側壁板９は、少なくとも対向する一対の平行な前記側壁板２、４に対して平行な関係となっている。
【００１６】
また、容器部Ａの互いに平行な前記側壁板２、４の外面には、図１に示すように、その外面の長手方向に沿って直線状の嵌合スライドガイド１３（例えばガイド溝）が設けられている。
【００１７】
蓋部Ｂは、前記底板１の大きい矩形状部と同一形状の矩形状部を備えた天板２１と、その天板２１面下に該矩形状部の周端に沿って四方の側壁板２２、２３、２４及び前記小矩形状部の突設相当部分に切欠部２６を有して側壁板２５とが立設していて、対向する一対の前記側壁板２２、２４は互いに平行な関係となっている。
【００１８】
また、前記切欠部２６の近傍には閉鎖板２７が立設していて、閉鎖板２７は、蓋部Ｂを容器部Ａに施蓋した際に、前記容器部Ａの側壁板９の内面と平行に摺接可能なように立設しており、且つ容器部Ａの物品採入口１２を閉鎖できるようになっている。
【００１９】
前記蓋部Ｂの閉鎖板２７は、少なくとも前記容器部Ａの側壁板９の内面と平行に摺接可能に立設したものであり、例えば、図１に示すように、物品採入口１２の入口の幅と略同一幅の板状体であってもよいし、物品採入口１２の幅方向に配列した複数本の格子状体であってもよい。閉鎖板２７を格子状体とした場合には、その格子状体の配列間隔を適宜な間隔に設定して立設することができる。
【００２０】
また、蓋部Ｂの互いに平行な前記側壁板２２、２４の内面には、図１に示すように、その内面の長手方向に沿って直線状の嵌合スライドガイド２８（例えばガイド突起）が設けられている。
【００２１】
本発明の計量容器は、上記容器部Ａの物品収納室６内に、粒状物や粉体等の定量取り出し用の内容物を収納した後、図１に示すように蓋部Ｂを容器部Ａ上に矢印方向に被せ、容器部Ａの側壁板を、蓋部Ｂの側壁板の内側に嵌合させる。
【００２２】
そして、図２（ａ）の上面図に示すように、容器部Ａの側壁板９内面側に蓋部Ｂの閉鎖板２７を摺接させて差し込み、容器部Ａの互いに平行な側壁板２、４の外面と前記蓋部Ｂの互いに平行な側壁板２２、２４の内面とに沿って設けた前記直線状ガイド１３、２８を互いに凹凸嵌合して、図３（ａ）の全体外観斜視図に示すように容器部Ａに蓋部Ｂを施蓋して組み立てられる。
【００２３】
このようにして組み立てられた本発明の計量容器は、図２（ａ）に示すように閉鎖板２７が側壁板９と摺接していて、計量室１０の物品採入口１２は開放状態にあり、容器部Ａの物品収納室６内に収容されている内容物Ｄを採入口１２から一定容積の計量室１０（小さい矩形状部）内に定量だけ採り込むことができる。
【００２４】
そして、本発明の計量容器は、図２（ｂ）に示すように容器部Ａを蓋部Ｂの嵌合スライドガイド２８に沿って矢印方向にスライド移動させることができ、これにより、図２（ｂ）及び図３（ｂ）の全体外観斜視図に示すように、容器部Ａの計量室１０は蓋部Ｂの切欠部２６から蓋部Ｂ外側に突出して、計量室１０内の定量の内容物Ｄを取り出すことができる。
【００２５】
本発明の請求項４に係る計量容器の実施の形態を、図４に示す組み立て斜視図に基づいて以下に詳細に説明する。
【００２６】
本発明の請求項４に係る計量容器は、図４に示すように、容器部Ａと、容器部Ａを施蓋する蓋部Ｂとから構成され、容器部Ａは大きい矩形状の物品収納室６と小さい矩形状の突出計量室１０とを備えている。
【００２７】
容器部Ａは、図４に示すように、少なくとも対向する一対の辺又は対向する二対の辺が平行な大きい矩形状部（以下単に矩形状部という）と、その大きい矩形状部の一辺の中間部に突設した小さい矩形状部（以下小矩形状部という）とを備えた底板１と、その底板１面上に、大きい矩形状部の周端に沿って、三方の側壁板２、３、４と前記小矩形状部を突設した部分を除く側壁板５、５とによる、四方の側壁板が立設していて、対向する一対の前記側壁板２、４は互いに平行な関係となっている。
【００２８】
前記底板１上における矩形状部には、小矩形状部の突設部分の中間に向かって正対する先端がＶの字状の夾角部分（例えば夾角が３０°〜６０°、乃至６０°〜９０°、乃至９０°〜１２０°）となる二等辺１１ａ、１１ａを備えた三角形状隔壁板１１（他の一辺１１ｂは直線状の辺）又は扇形状隔壁板１１（（他の一辺１１ｂは円弧状の辺）が立設していて、該隔壁板１１のＶの字状の先端と前記両側壁板５、５の小矩形状部突設部分側の端部との間には、所定幅の物品採入口１２、１２を有する物品収納室６を備えている。
【００２９】
また、前記底板１面上の小矩形状部の外側周端に沿って、前記側壁板５、５に連続して、三方の側壁板７、８、９が立設していて、小矩形状部を囲む三方の側壁板７、８、９と、前記三角形状又は扇形状隔壁板１１の二等辺１１ａ、１１ａとによる突出計量室１０が形成されていて、対向する前記側壁板７、９は、少なくとも、対向する一対の平行な前記側壁板２、４に対して平行な関係となっている。
【００３０】
また、容器部Ａの互いに平行な前記側壁板２、４の外面には、図４に示すように、その外面の長手方向に沿って直線状の嵌合スライドガイド１３（例えばガイド溝）が設けられている。
【００３１】
蓋部Ｂは、前記底板１の大きい矩形状部と同一形状の矩形状部を備えた天板２１と、その天板２１面下に該矩形状部の周端に沿って四方の側壁板２２、２３、２４と、該矩形状部の一辺中間部の小矩形状部の突設相当部分に切欠部２６を有して側壁板２５、２５とが立設していて、対向する一対の前記側壁板２２、２４は互いに平行な関係となっている。
【００３２】
また、前記切欠部２６の近傍には、平行に対向する閉鎖板２７、２７が立設していて、該閉鎖板２７、２７は、蓋部Ｂを容器部Ａに施蓋した際に、前記容器部Ａの小矩形状部に形成された突出計量室１０を構成する対向する平行な側壁板７、９の内面と平行に摺接可能であって、且つ前記物品採入口１２、１２を閉鎖できるようになっている。
【００３３】
前記蓋部Ｂの閉鎖板２７、２７は、少なくとも前記容器部Ａの側壁板７、９の内面と平行に摺接可能に立設したものであり、例えば、図４に示すように、物品採入口１２の入口の幅と略同一幅の板状体であってもよいし、物品採入口１２の幅方向に配列した複数本の格子状体であってもよい。それぞれ閉鎖板２７を格子状体とした場合には、その格子状体の配列間隔を適宜な間隔に設定して立設することができる。
【００３４】
また、蓋部Ｂの互いに平行な前記側壁板２２、２４の内面には、図４に示すように、その内面の長手方向に沿って直線状の嵌合スライドガイド２８（例えばガイド突起）が設けられている。
【００３５】
本発明の請求項４に係る上記計量容器は、図４に示す容器部Ａの物品収納室６内に、粒状物や粉体等の定量取り出し用の内容物Ｄを収納した後、蓋部Ｂを容器部Ａ上に矢印方向に被せ、容器部Ａの側壁板を、蓋部Ｂの側壁板の内側に嵌合させる。
【００３６】
そして、図５（ａ）の上面図に示すように、容器部Ａの突出計量室１０を構成する平行に対向する各々側壁板７、９内面側に、蓋部Ｂのそれぞれ閉鎖板２７、２７を摺接させて差し込み、容器部Ａの互いに平行な側壁板２、４の外面と、蓋部Ｂの互いに平行な側壁板２２、２４の内面に沿って設けた前記直線状ガイド１３、２８を互いに凹凸嵌合して、図６（ａ）の全体外観斜視図に示すように容器部Ａに蓋部Ｂを施蓋して組み立てられる。
【００３７】
このようにして組み立てられた本発明の請求項４に係る計量容器は、図５（ａ）に示すように各々閉鎖板２７、２７がそれぞれ側壁板７、９の内面と摺接していて、突出計量室１０の採入口１２は開放状態にあり、容器部Ａの物品収納室６内に収容されている内容物Ｄを、隔壁板１１ａと閉鎖板２７、２７の内端部（側壁板５、５の内端部）との所定幅の採入口１２、１２から一定容積の計量室１０（小さい矩形状部）内に定量だけ採り込むことができる。
【００３８】
そして、上記計量容器は、図５（ｂ）に示すように容器部Ａを蓋部Ｂの嵌合スライドガイド２８に沿って矢印方向にスライド移動させることができ、これにより、図５（ｂ）及び図６（ｂ）の全体外観斜視図に示すように、容器部Ａの計量室１０は蓋部Ｂの切欠部２６から蓋部Ｂ外側に突出して、計量室１０内の定量の内容物Ｄを取り出すことができる。
【００３９】
【発明の効果】
本発明の計量容器は、プラスチック成形加工や金属成形加工などにより作製したスライド開閉式による計量容器であって、蓋部のスライド閉鎖動作により、容器部の突出計量室を施蓋できるとともに、該突出計量室の物品採入口を開放でき、容器部内の定量の内容物をその突出計量室に手軽に採り入れることができ、また、蓋部のスライド開放動作により、容器部の突出計量室を蓋部の外側に突出させて開放できるとともに、該突出計量室内に採り入れた定量の内容物を、その開放した突出計量室から手軽に取り出すことができ、取り出し使用時には一定量の物品のみを取り出すことができ、物品を取り出し過ぎて物品を無駄に使ってしまったり、取り出した物品をまた容器内に戻すなどの無駄な操作が不要になり、容易な操作によって確実に一定量の物品を取り出すことができる計量容器を提供できるものである。
【図面の簡単な説明】
【図１】本発明の計量容器の一実施の形態を説明する組み立て斜視図。
【図２】（ａ）は本発明の一実施の形態における計量容器の取出孔を閉鎖した状態の外観斜視図、（ｂ）は開放した状態の外観斜視図。
【図３】（ａ）は本発明の一実施の形態における計量容器の取出孔を閉鎖した状態の容器内部を説明する上面図、（ｂ）は開放した状態の容器内部を説明する上面図。
【図４】本発明の計量容器の他の実施の形態を説明する組み立て斜視図。
【図５】（ａ）は本発明の他の実施の形態における計量容器の取出孔を閉鎖した状態の外観斜視図、（ｂ）は開放した状態の外観斜視図。
【図６】（ａ）は本発明の他の実施の形態における計量容器の取出孔を閉鎖した状態の容器内部を説明する上面図、（ｂ）は開放した状態の容器内部を説明する上面図。
【符号の説明】
Ａ…容器部  Ｂ…蓋部  Ｄ…内容物
１…底板  ２、３、４、５…側壁板  ６…物品収納室  ７、８、９…側壁板
１０…突出計量室  １１…二等辺三角形状又は扇形状隔壁板  １２…物品採入口１３…スライド溝部
２１…天板  ２２、２３、２４、２５…側壁板  ２６…切欠部  ２７…隔壁板２８…スライド突起部
【図１】
2005008195.tif 000003
【図２】
2005008195.tif 000004
【図３】
2005008195.tif 000005
【図４】
2005008195.tif 000006
【図５】
2005008195.tif 000007
【図６】
2005008195.tif 000008